(57)【要約】【課題】電池の体積を小さくし、電池のエネルギー密度を向上させ、また、電池の底部の成型効果及び電池の安全性能と使用寿命を向上させることができる電池を開示する。【解決手段】当該電池は、セル１と、セル１を封入する包装フィルム２とを含み、包装フィルム２は、折り返し部２１を含み、折り返し部２１は、セル１の端面に貼り合わされる第１セグメント２１１と、第１セグメント２１１に接続された第２セグメント２１２とを含み、第１セグメント２１１は、第２セグメント２１２とセル１との間に設けられ、第２セグメント２１２は、多層の包装フィルム２を含む。【選択図】図３
2021518037.tif 000002
【特許請求の範囲】
【請求項１】
電池であって、
セルと、前記セルを封入する包装フィルムとを含み、
前記包装フィルムは、折り返し部を含み、前記折り返し部は、前記セルの端面に貼り合わされる第１セグメントと、前記第１セグメントに接続された第２セグメントとを含み、前記第１セグメントは、前記第２セグメントと前記セルとの間に設けられ、前記第２セグメントは、多層の包装フィルムを含むことを特徴とする電池。
【請求項２】
前記第２セグメントの包装フィルムは、有機層を含み、前記有機層は、前記包装フィルムの表面を形成し、前記多層の包装フィルムは、前記有機層により粘着されていることを特徴とする請求項１に記載の電池。
【請求項３】
前記第２セグメントは、前記第１セグメントに貼り付けられていることを特徴とする請求項１に記載の電池。
【請求項４】
前記第２セグメントと前記第１セグメントとの間には接着剤層が設けられ、前記第２セグメントは、前記接着剤層により前記第１セグメントに貼り付けられていることを特徴とする請求項３に記載の電池。
【請求項５】
前記電池は、貼付部をさらに含み、前記貼付部は、前記第１セグメントの外側と前記第２セグメントの外側に設けられ、前記第２セグメントと前記第１セグメントとは、前記貼付部で固定されていることを特徴とする請求項３に記載の電池。
【請求項６】
前記多層の包装フィルムは、一体型構成であることを特徴とする請求項１に記載の電池。
【請求項７】
前記電池は、タブをさらに含み、前記タブと前記第２セグメントは、前記電池の両側に相対して設けられていることを特徴とする請求項１に記載の電池。
【請求項８】
前記タブと前記第２セグメントは、前記電池の同じ側に位置することを特徴とする請求項７に記載の電池。
【請求項９】
前記セルは、セパレータを含み、前記セパレータは、前記第２セグメントの多層の包装フィルムの間に位置することを特徴とする請求項１に記載の電池。
【請求項１０】
前記第２セグメントの包装フィルムは、有機層を含み、前記有機層は、前記包装フィルムの表面に位置し、前記有機層は、前記セパレータに粘着されていることを特徴とする請求項９に記載の電池。
【請求項１１】
前記第２セグメントの厚さは、関係式ｈ＝２ｄ＋ｎを満たし、
ｈは前記第２セグメントの厚さであり、ｄは前記包装フィルムの厚さであり、ｎは、調整係数であり、関係式−１ｍｍ≦ｎ≦５ｍｍを満たすことを特徴とする請求項１に記載の電池。
【請求項１２】
前記第２セグメントの第１方向における幅は、関係式０.２ｍｍ≦Ｗ≦１０ｍｍを満たし、
Ｗは前記第２セグメントの第１方向における幅であることを特徴とする請求項１に記載の電池。
【発明の詳細な説明】
【技術分野】
【０００１】
本願は、電池の技術分野に関し、特に電池及び包装フィルムに関する。
【背景技術】
【０００２】
ソフトパック電池は、一般的なスチールケース電池に比べ、エネルギー密度が高く、体積が小く、軽薄化であり、設計が自由であることなどのメリットを有するため、多くのユーザに好まれており、携帯型電子製品に広く応用される。電池のエネルギー密度を向上させるために、ソフトパック電池の包装袋も益々軽薄化している。包装袋の薄型化の進行は必然的にソフトパック電池の安全性に影響するが、ソフトパック電池の安全性の問題は人々が最も重視している問題である。そのため、電池の包装袋は、セルの絶縁、耐腐食、防水、強度の高い成形性等の要求を満たすことが必要である。
【発明の概要】
【発明が解決しようとする課題】
【０００３】
本願の実施例の目的は、電池の体積を小さくし、電池のエネルギー密度を向上させ、また、電池の底部の成型効果及び電池の安全性能と使用寿命を向上させることができる電池を提供することにある。
【課題を解決するための手段】
【０００４】
本願の実施例は、電池を提供し、当該電池は、セルと、前記セルを封入する包装フィルムとを含み、前記包装フィルムは、折り返し部を含み、前記折り返し部は、前記セルの端面に貼り合わされる第１セグメントと、前記第１セグメントに接続された第２セグメントとを含み、前記第１セグメントは、前記第２セグメントと前記セルとの間に設けられ、前記第２セグメントは、多層の包装フィルムを含む。
【０００５】
本願の１つの具体的な実施例では、前記第２セグメントの包装フィルムは、有機層と、金属層とを含み、前記有機層は、前記包装フィルムの表面に位置し、前記二層の包装フィルムは、前記有機層により粘着されている。
【０００６】
本願の１つの具体的な実施例では、前記第２セグメントは、前記第１セグメントに貼り付けられている。
【０００７】
本願の１つの具体的な実施例では、前記第２セグメントと前記第１セグメントとの間に接着剤層が設けられ、前記第２セグメントは、前記接着剤層により前記第１セグメントに固定されている。
【０００８】
本願の１つの具体的な実施例では、前記電池は、貼付部をさらに含み、前記貼付部は、前記第１セグメントの外側と前記第２セグメントとの外側に設けられ、前記第２セグメントと前記第１セグメントとは、前記貼付部で固定されている。
【０００９】
本願の１つの具体的な実施例では、前記多層の包装フィルムは、一体型構成である。
【００１０】
本願の１つの具体的な実施例では、前記電池は、タブをさらに含み、前記タブと前記第２セグメントは、前記電池の両側に相対して設けられている。
【００１１】
本願の１つの具体的な実施例では、前記タブと前記第２セグメントは、前記電池の同じ側に位置する。
【００１２】
本願の１つの具体的な実施例では、前記セルは、セパレータを含み、前記セパレータは、前記第２セグメントの多層の包装フィルムの間に位置する。
【００１３】
本願の１つの具体的な実施例では、前記第２セグメントの包装フィルムは、有機層を含み、前記有機層は、前記セパレータに粘着されている。
【００１４】
本願の１つの具体的な実施例では、前記第２セグメントの厚さは、関係式ｈ＝２ｄ＋ｎを満たし、ｈは前記第２セグメントの厚さであり、ｄは前記包装フィルムの厚さであり、ｎは、調整係数であり、関係式−１ｍｍ≦ｎ≦５ｍｍを満たす。
【００１５】
本願の１つの具体的な実施例では、前記第２セグメントの第１方向における幅は、関係式０.２ｍｍ≦Ｗ≦１０ｍｍを満たし、Ｗは前記第２セグメントの第１方向における幅である。
【００１６】
本願の１つの具体的な実施例では、前記電池は、二次リチウムイオン電池である。
【発明の効果】
【００１７】
本願の実施例では、折り返し部がセル端面に貼り合わされる第１セグメントと、第１セグメントに接続される第２セグメントとを含み、第２セグメントは、第１セグメントの外部に位置し、第２セグメントは、二層の包装フィルムを含む。当該実施例では、折り返し部に第２セグメントを設けることにより、包装フィルムとセル底部との間の隙間をなくすことができて、第１セグメントをセルの端面に貼り合わせることができ、真空引きプロセスを行う際には、電池をセルの底部の側面に密着させることができ、しわが形成しにくくなり、電池の底部の成型が良好になる。また、当該技術案は、従来技術においてセルの底部と包装フィルムとの間の隙間をなくし、電池の体積を小さくし、電池のエネルギー密度を向上させる。当該技術案に係る包装フィルムの形状構成は規則的であり、真空引きプロセスを行う際に、電池は破損しにくく、電池の安全性能及び使用寿命を向上させる。
【図面の簡単な説明】
【００１８】
本開示の実施形態又は関連技術における技術的解決手段をより明確に説明するために、以下に実施例又は関連する技術の説明に必要な図面を簡単に紹介し、明らかに、以下に説明する図面は、本開示のいくつかの実施例であり、当業者であれば、創造的な労力を要することなく、これらの図面に基づいて他の図面を得ることができる。
【００１９】
【図１】従来技術の一実施例に係る電池の構成断面図である。
【図２】従来技術の別の実施例に係る電池の構成断面図である。
【図３】本願の一実施例に係る電池の構成断面図である。
【図４】図３に示す実施例に係る電池の局所拡大図である。
【図５】本願の別の実施例に係る電池の構成概略図である。
【図６】本願の一実施例に係る電池構成の局所断面図である。
【図７】本願の別の実施例に係る電池構成の局所断面図である。
【図８】本願のさらに別の実施例に係る電池の構成断面図である。
【図９】図８に示す実施例に係る電池の局所拡大図である。
【発明を実施するための形態】
【００２０】
図１及び図２を参照すると、従来技術では、電池は、セル０１と、セル０１を封入する包装フィルム０２と、セル０１における正極シート及び負極シートにそれぞれ接続されるタブ０３とを含む。上記電池の製作プロセスは、包装フィルム０２を打ち抜いてセル０１を入れ、上記包装フィルム０２を封止してから、注液、化成及び真空引きプロセスを行うことを含む。従来技術では、セル０１を包装フィルム０２に入れた後、セル０１の底部と包装フィルムの底部との間に大きな隙間を形成することになる。
【００２１】
後続の真空引きプロセスでは、真空度が小さいと、図１に示すように、セル０１の底部と包装フィルム０２の底部との間に大きな空間が残りやすくなる。セル０１は、包装フィルム０２の内部で揺れやすく、セル０１と包装フィルム０２との間に相対変位が生じることによって、包装フィルム０２の破損を招き、電池の使用寿命を低下させる一方で、電池の空間利用率を低下させ、体積エネルギー密度を低下させてしまう。真空度が大きいと、図２に示すように、包装フィルム０２の底部が潰れてしまい、不規則なしわが発生して、電池の外観不良を招き、ひいてはポールピースが包装フィルム０２を突き破ってしまうことによって、包装フィルム０２の破損を招き、又は包装フィルム０２がセパレータ及びポールピースを押圧して、正極シートを負極シートに直接接触させ、さらに短絡爆発などの問題を引き起こす。
【００２２】
本開示の実施の形態の目的、技術的解決手段および利点をより明確にするために、以下、本開示の実施の形態における図面を参照して、本開示の実施の形態における技術的解決手段を明らかに、完全に説明するが、本開示の一部の実施の形態は、すべての実施の形態ではないことは言うまでもない。本開示の実施の形態に基づいて、当業者が創造的な労力を要さずに想到し得る他の実施の形態は、すべて本開示の技術的範囲に属するものと了解される。
【００２３】
図３及び図４を参照すると、本願の実施例は、電池を提供し、当該電池は、セル１と、セル１を封入する包装フィルム２とを含み、包装フィルム２は、折り返し部２１を含み、折り返し部２１は、セル１の端面に貼り合わされる第１セグメント２１１と、第１セグメント２１１に接続された第２セグメント２１２とを含み、第１セグメント２１１は、第２セグメント２１２とセル１との間に設けられ、第２セグメント２１２は、二層の包装フィルム２を含む。
【００２４】
図３乃至図５に示すように、本願の一実施例では、電池は、セル１と、セル１を封入する包装フィルム２とを含む。上記電池の製作プロセスは、包装フィルム２を打ち抜いて、包装フィルム２の折り返し部２１を形成し、セル１を入れ、上記包装フィルム２の折り返し部２１以外の側辺を封止して封止部２２を形成し、そして注液、化成及び真空引きプロセスを行うことを含む。
【００２５】
本願の実施例では、包装フィルム２は、シート状構成であり、打ち抜きプロセス後に折り返して、さらに包装フィルム２の折り返し部２１以外の側辺を封止し、封止された側辺を封止部２２とすることによって、電池の包装袋が形成される。具体的に、包装フィルム２の折り返した領域は、折り返し部２１となり、当該折り返し部２１は、電池のセル１の底部に対向し、図３乃至図５に示す具体的な実施例では、上記折り返し部２１は、タブに対向する一方側に位置する。
【００２６】
本願の実施例では、折り返し部２１は、セル１の端面に貼り合わされる第１セグメント２１１と、第１セグメント２１１に接続された第２セグメント２１２とを含み、第１セグメント２１１は、第２セグメント２１２とセル１との間に設けられ、第２セグメント２１２は、二層の包装フィルム２を含む。当該実施例では、折り返し部２１に第２セグメント２１２を設けることにより、包装フィルム２とセル１の底部との間の隙間をなくすことが可能であり、第１セグメント２１１をセル１の端面に貼り合わすことができ、真空引きプロセスを行う際、電池をセル１の底部の側面に密着させることができ、しわが形成しにくく、電池の底部の成型が良好である。また、この技術案は、従来技術においてセル１の底部と包装フィルム２との間の隙間をなくすことができ、電池の体積を小さくし、電池のエネルギー密度を向上させることができる。この技術案は、包装フィルム２の形状構成は規則的であり、真空引きプロセスを行う際に、電池は破損しにくく、電池の安全性能及び使用寿命を向上させることができる。
【００２７】
なお、具体的な実施例では、上記電池は、ソフトパック電池である。
【００２８】
選択可能な実施例では、第２セグメント２１２の包装フィルム２同士は、互いに固定してもよく、固定しなくてもよい。例えば、接着または熱プレスの手段により、第２セグメント２１２の包装フィルム２同士を固定接続してもよいし、圧着処理のみを行い、第２セグメント２１２の包装フィルム２同士を互いに固定しなくてもよく、包装フィルム２を折り畳んで第２セグメント２１２を形成すればよい。
【００２９】
具体的な実施例では、第２セグメント２１２の包装フィルム２は、有機層と、金属層とを含み、有機層は、包装フィルム２の表面に位置し、二層の包装フィルム２は、有機層により粘着される。
【００３０】
第２セグメント２１２は、圧着した第２セグメント２１２であってもよく、即ち、この第２セグメント２１２は、圧着プロセスにより製作されて、二層の包装フィルム２が固定接続される。無論、第２セグメント２１２に圧着処理した後、ヒートシールを行ってもよく、第２セグメント２１２の構成安定性を向上させる。或いは、他のプロセスを用いて第２セグメント２１２を製作する。
【００３１】
図６及び図７に示すように、好ましい実施例では、第２セグメント２１２は、第１セグメント２１１に貼り付けられている。当該実施例では、第２セグメント２１２は、折り返して第１セグメント２１１の外側に貼り付けられ、即ち電池の底部に貼り付けられてもよい。当該実施例では、電池の構成は、より規則的であり、且つ当該電池の使用時、占める面積が小さい。また、当該実施例では、第２セグメント２１２は展開しにくく、第２セグメント２１２の構成の安定性をさらに向上させることができる。
【００３２】
第２セグメント２１２が第１セグメント２１１の外側に貼り付けられる具体的な方式は特に限定されず、例えば、図６に示すように、一具体的な実施例では、第２セグメント２１２と第１セグメント２１１との間に、接着剤層３が設けられ、第２セグメント２１２は、接着剤層３により第１セグメントに固定される。当該実施例では、第２セグメント２１２と第１セグメントとの間に接着剤層３を設けることにより、第２セグメント２１２が第１セグメント２１１の外側に貼り付けられるようにする。図７に示すように、別の具体的な実施例では、電池は、貼付部４をさらに含み、貼付部４は、第１セグメント２１１及び第２セグメント２１２の外側に設けられ、これによって、第２セグメント２１２が第１セグメント２１１に貼り付けられる。
【００３３】
具体的な実施例では、二層の包装フィルム２は、一体型構成である。例えば、下記のように実現することができる。即ち、第２セグメント２１２は、１つの包装フィルム２が折り畳んで二層の包装フィルム２が形成され、図６に示すように、包装フィルム２は、一枚のフィルム材であり、フィルム材の中部に折り返し部が形成され、フィルム材が折り返してセル１を包み、折り返し部が形成された第２セグメント２１２では、二層の包装フィルム２が、展開後に接続関係にある。
【００３４】
図８を参照すると、一具体的な実施例では、電池は、タブ７をさらに含み、タブと第２セグメント２１２は、電池の両側に相対して設置される。図７に示す実施例では、タブ７と第２セグメント２１２は、電池の第１方向５の両側に相対して設置され、具体的に、第１方向５とは、タブ７が包装フィルム２から突出する方向を指す。無論、当該実施例は、１つの具体的な実施例に過ぎず、実際の応用では、必要に応じてタブ７の位置を設計することができる。
【００３５】
引き続き図８を参照すると、より具体的な実施例では、タブ７と第２セグメント２１２は、電池の同じ側に位置する。当該実施例では、第２セグメント２１２は、第１セグメント２１１の外側に貼り付けられず、展開した状態である。図８に示す実施例では、タブ７と第２セグメント２１２は、電池における電池の第２方向６に沿う同じ側に位置し、第２方向６は具体的に、第１方向５に垂直な方向であり、タブ７と第２セグメント２１２は、電池の同じ側に位置すると、当該電池の使用時に、セル１の外部へ突出する構成が同じ側に位置し、即ち、当該電池の取り付け及び当該電池のアクセサリに別の部品を取り付けることに便利となる。
【００３６】
図８及び図９を参照すると、好ましい実施例では、セル１は、ポールピース１１、セパレータ１２及び電解液(未図示)を含み、セパレータ１２の一部は、第２セグメント２１２の包装フィルム２間に位置する。
【００３７】
当該実施例では、第２セグメント２１２は、セパレータ１２を固定することもでき、その結果、セル１が包装フィルム２内に安定的に固定され、セル１と包装フィルム２との相対的な移動を低減させ、電池の使用寿命をさらに向上させることができる。
【００３８】
具体的な実施例では、第２セグメントの包装フィルムは、有機層を含み、有機層は、セパレータに粘着される。具体的に、当該実施例において、第２セグメントは、ホットプレスの方式によりセパレータに固定され、このように、セパレータと第２セグメントとの固定強度をさらに向上させることができる。
【００３９】
具体的な実施例では、第２セグメントの厚さは、関係式ｈ＝２ｄ＋ｎを満たし、式中、ｈは第２セグメントの厚さであり、ｄは包装フィルムの厚さであり、ｎは、調整係数であり、−１ｍｍ≦ｎ≦５ｍｍを満たす。
【００４０】
なお、具体的な実施例では、ｎは、負の値であってもよく、第２セグメントを製作する方法が特に限定されないため、ホットプレスの方式を用いて製作する際、第２セグメントの厚さは、二層の包装フィルムの厚さよりも小さくなり得る。
【００４１】
第２セグメントの第１方向における幅は、関係式０.２ｍｍ≦Ｗ≦１０ｍｍを満たし、式中、Ｗは第２セグメントの第１方向における幅であり、図８及び図９に示すように、幅の測定の始点は、第１セグメントと第２セグメントとの交点であり、幅の測定の終点は、第２セグメントの第１方向におけるセルからの最遠端である。
【００４２】
第２セグメントの寸法が上記条件を満たす場合、第１セグメントがセルの端面に貼り合わされて、従来技術においてセルの底部と包装フィルムとの間の隙間をなくし、電池の体積を小さくし、電池のエネルギー密度を向上させることができる。電池の底部の成型の効果、及び電池の安全性能と使用寿命を向上させることもできる。具体的に、図７に示すように、当該実施例では、第１方向５とは、電池の長手方向でもある。
【００４３】
具体的な実施例では、包装フィルムは、積層配置される複数層構成を含み、当該積層配置される複数層構成は、金属層及び非金属層を含み、金属層が非金属層の間に設けられる。
【００４４】
当該実施例では、金属層は、一定の硬さを有し、包装フィルムの形状を保つことができ、電池の成型に有利であり、且つ包装フィルムの強度を向上させることができ、液漏れにくくなり、セルに隣接する非金属層は、セルの分解液を隔離することができ、外側に露出する非金属層は、外部に直接接触するため、電池の使用寿命を向上させるように、耐摩耗性を有する必要がある。
【００４５】
具体的な実施例では、包装フィルムは、積層配置される三層の構成を含み、当該積層配置される三層の構成は、二層の非金属層と二層の非金属層の間に設けられる一層の金属層とを含む。当該実施例では、包装フィルムの構成は簡単であり、電池の機能要件を満足することができる。
【００４６】
具体的な実施例では、金属層は、アルミニウム層であり、セルに隣接する非金属層は、ポリプロピレン層であり、外側に露出する非金属層はナイロン層である。
【００４７】
一具体的な実施例では、金属層に質量含有量が最も高い材料がアルミニウムであり、或いは、金属層に質量含有量が最も高い材料が鉄である。即、よく見かけるアルミニウム箔又は鉄箔であってもよく、コストが低く且つ入手しやすく、且つ、強度は、電池の包装フィルムに対する強度需要を満たすことができる。
【００４８】
上記包装フィルム材料は、一具体的な実施例に過ぎず、そのうちのいずれかの層の材料は、需要に応じて他の材料で置き換えることができる。
【００４９】
具体的な実施例では、電池の具体的な種類は限定されず、電池は、二次リチウムイオン電池を含む。
【００５０】
明らかなように、当業者であれば、本願の精神及び範囲から逸脱することなく、本願に対して様々な修正及び変形を行うことができる。このように、本願のこれらの変形及び変更が本願の特許請求の範囲及びその均等の範囲に含まれる場合、本願はこれらの修正及び変形をも含む意図である。
【符号の説明】
【００５１】
従来技術の部分：
０１−セル、０２−包装フィルム、０３−タブ
本発明の実施例の部分：
１−セル、１１−ポールピース、１２−セパレータ
２−包装フィルム、２１−折り返し部、２１１−第１セグメント
２１２−第２セグメント、２２−封止部、３−接着剤層
４−貼付部、５−第１方向、６−第２方向、７−タブ。
【図１】
2021518037.tif 000003
【図２】
2021518037.tif 000004
【図３】
2021518037.tif 000005
【図４】
2021518037.tif 000006
【図５】
2021518037.tif 000007
【図６】
2021518037.tif 000008
【図７】
2021518037.tif 000009
【図８】
2021518037.tif 000010
【図９】
2021518037.tif 000011
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
電池であって、
セルと、前記セルを封入する包装フィルムとを含み、
前記包装フィルムは、折り返し部を含み、前記折り返し部は、前記セルの端面に貼り合わされる第１セグメントと、前記第１セグメントに接続された第２セグメントとを含み、前記第１セグメントは、前記第２セグメントと前記セルとの間に設けられ、前記第２セグメントは、多層の包装フィルムを含むことを特徴とする電池。
【請求項２】
前記第２セグメントの包装フィルムは、有機層を含み、前記有機層は、前記包装フィルムの表面を形成し、前記多層の包装フィルムは、前記有機層により粘着されていることを特徴とする請求項１に記載の電池。
【請求項３】
前記第２セグメントは、前記第１セグメントに貼り付けられていることを特徴とする請求項１に記載の電池。
【請求項４】
前記第２セグメントと前記第１セグメントとの間には接着剤層が設けられ、前記第２セグメントは、前記接着剤層により前記第１セグメントに貼り付けられていることを特徴とする請求項３に記載の電池。
【請求項５】
前記電池は、貼付部をさらに含み、前記貼付部は、前記第１セグメントの外側と前記第２セグメントの外側に設けられ、前記第２セグメントと前記第１セグメントとは、前記貼付部で固定されていることを特徴とする請求項３に記載の電池。
【請求項６】
前記多層の包装フィルムは、一体型構成であることを特徴とする請求項１に記載の電池。
【請求項７】
前記電池は、タブをさらに含み、前記タブと前記第２セグメントは、前記電池の第１方向における両側に相対して設けられていることを特徴とする請求項１に記載の電池。
【請求項８】
前記電池は、タブをさらに含み、前記タブと前記第２セグメントは、前記電池の第２方向における同じ側に位置することを特徴とする請求項１〜６のいずれか一項に記載の電池。
【請求項９】
前記セルは、セパレータを含み、前記セパレータは、前記第２セグメントの多層の包装フィルムの間に位置することを特徴とする請求項１に記載の電池。
【請求項１０】
前記第２セグメントの包装フィルムは、有機層を含み、前記有機層は、前記包装フィルムの表面に位置し、前記有機層は、前記セパレータに粘着されていることを特徴とする請求項９に記載の電池。
【請求項１１】
前記第２セグメントの厚さは、関係式ｈ＝２ｄ＋ｎを満たし、
ｈは前記第２セグメントの厚さであり、ｄは前記包装フィルムの厚さであり、ｎは、調整係数であり、関係式−１ｍｍ≦ｎ≦５ｍｍを満たすことを特徴とする請求項１に記載の電池。
【請求項１２】
前記第２セグメントの第１方向における幅は、関係式０.２ｍｍ≦Ｗ≦１０ｍｍを満たし、
Ｗは前記第２セグメントの第１方向における幅であることを特徴とする請求項１に記載の電池。
【手続補正２】
【補正対象書類名】明細書
【補正対象項目名】００１０
【補正方法】変更
【補正の内容】
【００１０】
本願の１つの具体的な実施例では、前記電池は、タブをさらに含み、前記タブと前記第２セグメントは、前記電池の第１方向における両側に相対して設けられている。
【手続補正３】
【補正対象書類名】明細書
【補正対象項目名】００１１
【補正方法】変更
【補正の内容】
【００１１】
本願の１つの具体的な実施例では、前記電池は、タブをさらに含み、前記タブと前記第２セグメントは、前記電池の第２方向における同じ側に位置する。
【手続補正４】
【補正対象書類名】明細書
【補正対象項目名】００３４
【補正方法】変更
【補正の内容】
【００３４】
図８を参照すると、一具体的な実施例では、電池は、タブ７をさらに含み、タブと第２セグメント２１２は、電池の第１方向５における両側に相対して設置される。図７に示す実施例では、タブ７と第２セグメント２１２は、電池の第１方向５の両側に相対して設置され、具体的に、第１方向５とは、タブ７が包装フィルム２から突出する方向を指す。無論、当該実施例は、１つの具体的な実施例に過ぎず、実際の応用では、必要に応じてタブ７の位置を設計することができる。
【手続補正５】
【補正対象書類名】明細書
【補正対象項目名】００３５
【補正方法】変更
【補正の内容】
【００３５】
引き続き図８を参照すると、より具体的な実施例では、タブ７と第２セグメント２１２は、電池の第２方向６における同じ側に位置する。当該実施例では、第２セグメント２１２は、第１セグメント２１１の外側に貼り付けられず、展開した状態である。図８に示す実施例では、タブ７と第２セグメント２１２は、電池における電池の第２方向６に沿う同じ側に位置し、第２方向６は具体的に、第１方向５に垂直な方向であり、タブ７と第２セグメント２１２は、電池の同じ側に位置すると、当該電池の使用時に、セル１の外部へ突出する構成が同じ側に位置し、即ち、当該電池の取り付け及び当該電池のアクセサリに別の部品を取り付けることに便利となる。
【国際調査報告】
2021518037.tif 000012
2021518037.tif 000013
2021518037.tif 000014
2021518037.tif 000015
2021518037.tif 000016